(57)【要約】【課題】  ホストクラブへの新規の顧客の来店を効果的に促進することができる技術を提供する。【解決手段】  ホストクラブ来店勧誘キット１０は、紙製の仮想現実ゴーグル１とアクセス情報表示部２とを備える。スマートフォン９が仮想現実ゴーグル１に装着され、アクセス情報表示部２によってホストクラブ仮想体験サービス提供サーバー３がアクセスされ、ホストクラブ仮想現実動画ファイル６１が再生されて仮想現実ゴーグル１を通して視聴することでホストクラブの仮想体験がされる。これにより、ホストクラブの来店が促進される。【選択図】  図２
2018180947.tif 000002
【特許請求の範囲】
【請求項１】
ホストクラブへの来店を勧誘させるために潜在顧客に提供されるホストクラブ来店勧誘キットであって、
スマートフォンを装着することにより仮想現実動画ファイルを再生して仮想現実動画を視聴し得る紙製の仮想現実ゴーグルと、
ホストクラブ仮想体験サービス提供サーバーへのアクセス情報を表示したアクセス情報表示部とを備えたホストクラブ来店勧誘キットであって、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であることを特徴とするホストクラブ来店勧誘キット。
【請求項２】
前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであることを特徴とする請求項１記載のホストクラブ来店勧誘キット。
【請求項３】
ホストクラブへの来店を勧誘させる方法であって、
潜在顧客に対してホストクラブ来店勧誘キットを提供するステップを含んでおり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であることを特徴とするホストクラブ来店勧誘方法。
【請求項４】
前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであることを特徴とする請求項３記載のホストクラブ来店勧誘方法。
【請求項５】
前記ホストクラブ仮想体験サービス提供サーバーの記憶部には、潜在顧客の心理状態又は又は過去のホストクラブ仮想現実動画ファイルの再生回数に応じて選択される異なる複数の前記ホストクラブ仮想現実動画ファイルが記憶されており、
前記ホストクラブ仮想体験サービス提供サーバーは、いずれかの前記ホストクラブ仮想現実動画ファイルを選択させるコマンドボタンを含むウェブページを提供するものであり、潜在顧客の心理状態又は又は過去のホストクラブ仮想現実動画ファイルの再生回数に応じて選択された前記ホストクラブ仮想現実動画ファイルを再生させることを特徴とする請求項３又は４記載のホストクラブ来店勧誘方法。
【請求項６】
ホストクラブへの来店を勧誘させる装置であって、
ホストクラブ仮想体験サービス提供プログラムが実装されたホストクラブ仮想体験サービス提供サーバーと、
ホストクラブを仮想体験させるホストクラブ仮想現実動画ファイルが記憶された記憶部と、
潜在顧客に対して提供されたホストクラブ来店勧誘キットとを備えており、
ホストクラブ仮想体験サービス提供プログラムは、ホストクラブ仮想現実動画ファイルをスマートフォンに送って視聴させるプログラムであり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
前記アクセス情報は、スマートフォンからの操作によりホストクラブ仮想体験サービス提供プログラムを実行可能にする情報であることを特徴とするホストクラブ来店勧誘装置。
【請求項７】
前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであることを特徴とする請求項６記載のホストクラブ来店勧誘装置。
【請求項８】
前記ホストクラブ仮想体験サービス提供サーバーの記憶部には、潜在顧客の心理状態又は又は過去のホストクラブ仮想現実動画ファイルの再生回数に応じて選択される異なる複数の前記ホストクラブ仮想現実動画ファイルが記憶されており、
前記ホストクラブ仮想体験サービス提供サーバーは、潜在顧客の心理状態又は又は過去のホストクラブ仮想現実動画ファイルの再生回数に応じていずれかの前記ホストクラブ仮想現実動画ファイルを選択させるコマンドボタンを含むウェブページを提供するものであることを特徴とする請求項６又は７記載のホストクラブ来店勧誘装置。
【発明の詳細な説明】
【技術分野】
【０００１】
この出願の発明は、ホストクラブの売り上げ増加に貢献する技術に関するものであり、特にホストクラブへの来店を促進する来店勧誘の技術に関するものである。
【背景技術】
【０００２】
ホストクラブは、女性をターゲットにした有店舗接客型の風俗営業として広く知られている。このような有店舗型の風俗営業も、他の業種と同様、新規の顧客を多くしていくことが売り上げ増加ためには重要である。
【先行技術文献】
【特許文献】
【０００３】
【特許文献１】特開２００５−０４４３５４公報
【発明の概要】
【発明が解決しようとする課題】
【０００４】
しかしながら、この種の娯楽に縁のない者にとっては、興味はあっても初めて入店するには勇気がいる面もある。とりわけホストクラブの場合、女性がターゲットであるため、この傾向が強い。店舗の中がどのようになっていて、どのようなサービスが提供され、またどの程度の費用がかかるのか不明なため、興味はあっても来店に二の足を踏むケースが多い。
本願の発明は、このようなホストクラブビジネス特有の課題を解決するために為されたものであり、ホストクラブへの新規の顧客の来店を効果的に促進することができる技術を提供することを解決課題としている。
【課題を解決するための手段】
【０００５】
上記課題を解決するため、本願の請求項１記載の発明は、ホストクラブへの来店を勧誘させるために潜在顧客に提供されるホストクラブ来店勧誘キットであって、
スマートフォンを装着することにより仮想現実動画ファイルを再生して仮想現実動画を視聴し得る紙製の仮想現実ゴーグルと、
ホストクラブ仮想体験サービス提供サーバーへのアクセス情報を表示したアクセス情報表示部とを備えたホストクラブ来店勧誘キットであって、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であるという構成を有する。
また、上記課題を解決するため、請求項２記載の発明は、前記請求項１の構成において、前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであるという構成を有する。
また、上記課題を解決するため、請求項３記載の発明は、ホストクラブへの来店を勧誘させる方法であって、
潜在顧客に対してホストクラブ来店勧誘キットを提供するステップを含んでおり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であるという構成を有する。
また、上記課題を解決するため、請求項４記載の発明は、前記請求項３の構成において、前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであるという構成を有する。
また、上記課題を解決するため、請求項５記載の発明は、前記請求項３又は４の構成において、前記ホストクラブ仮想体験サービス提供サーバーの記憶部には、潜在顧客の心理状態又は又は過去のホストクラブ仮想現実動画ファイルの再生回数に応じて選択される異なる複数の前記ホストクラブ仮想現実動画ファイルが記憶されており、
前記ホストクラブ仮想体験サービス提供サーバーは、いずれかの前記ホストクラブ仮想現実動画ファイルを選択させるコマンドボタンを含むウェブページを提供するものであり、潜在顧客の心理状態又は又は過去のホストクラブ仮想現実動画ファイルの再生回数に応じて選択された前記ホストクラブ仮想現実動画ファイルを再生させるという構成を有する。
また、上記課題を解決するため、請求項６記載の発明は、ホストクラブへの来店を勧誘させる装置であって、
ホストクラブ仮想体験サービス提供プログラムが実装されたホストクラブ仮想体験サービス提供サーバーと、
ホストクラブを仮想体験させるホストクラブ仮想現実動画ファイルが記憶された記憶部と、
潜在顧客に対して提供されたホストクラブ来店勧誘キットとを備えており、
ホストクラブ仮想体験サービス提供プログラムは、ホストクラブ仮想現実動画ファイルをスマートフォンに送って視聴させるプログラムであり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
前記アクセス情報は、スマートフォンからの操作によりホストクラブ仮想体験サービス提供プログラムを実行可能にする情報であるという構成を有する。
また、上記課題を解決するため、請求項７記載の発明は、前記請求項６の構成において、前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであるという構成を有する。
また、上記課題を解決するため、請求項８記載の発明は、前記請求項６又は７の構成において、前記ホストクラブ仮想体験サービス提供サーバーの記憶部には、潜在顧客の心理状態又は又は過去のホストクラブ仮想現実動画ファイルの再生回数に応じて選択される異なる複数の前記ホストクラブ仮想現実動画ファイルが記憶されており、
前記ホストクラブ仮想体験サービス提供サーバーは、潜在顧客の心理状態又は又は過去のホストクラブ仮想現実動画ファイルの再生回数に応じていずれかの前記ホストクラブ仮想現実動画ファイルを選択させるコマンドボタンを含むウェブページを提供するものであるという構成を有する。
【発明の効果】
【０００６】
以下に説明する通り、本願の各請求項の発明によれば、ホストクラブ仮想現実動画の視聴という形でホストクラブの仮想体験がされるので、ホストクラブに行ったことのない者でもホストクラブがどのような場所・雰囲気でどのようなサービスが提供されるのかが理解できる。このため、実際にホストクラブに行くことの敷居が低くなり、ホストクラブにとっては新規の顧客増による売り上げアップが期待できる。
また、請求項５又は８の発明によれば、上記効果に加え、潜在顧客の心理状態又は過去の仮想体験回数に応じて異なるホストクラブ仮想現実動画ファイルが再生されるので、その時々の状況に応じて最適なホストクラブ仮想体験がされる。このため、来店の増加による売り上げアップがより期待できるものとなる。
【図面の簡単な説明】
【０００７】
【図１】実施形態に係るホストクラブ来店勧誘キットの斜視概略図である。
【図２】実施形態のホストクラブ来店勧誘方法及び実施形態のホストクラブ来店勧誘装置の概略図である。
【図３】トップ用ファイルで提供されるウェブページの一例を示す図であり、このうち（１）はトップページがスマートフォンに表示された状態を示す。
【発明を実施するための形態】
【０００８】
まず、実施形態のホストクラブ来店勧誘キットの発明の実施形態について説明する。
図１は、実施形態に係るホストクラブ来店勧誘キットの斜視概略図である。実施形態のホストクラブ来店勧誘キット（以下、勧誘キットと略称する。）は、ホストクラブへの来店を勧誘させるために潜在顧客に無料で提供されるものであり、一種の販促ツール（ノベルティ）である。この勧誘キットは、仮想現実ゴーグル１と、アクセス情報表示部２とを備えている。
【０００９】
仮想現実ゴーグル（以下、ＶＲゴーグルと略称する。）１は、簡易型ＶＲゴーグルと称されているもので、スマートフォンを装着することにより仮想現実映像を視聴し得るグーグルである。この実施形態では、潜在顧客に無償提供されることを考慮し、紙製のＶＲゴーグル１が使用されている。例えば、株式会社ハコスコ製のものを使用することができる。
【００１０】
アクセス情報表示部２は、この実施形態では、ＶＲゴーグル１への印刷によって設けられている。アクセス情報表示部２は、ホストクラブ仮想体験サービス提供サーバー（以下、提供サーバーと略称する。）へのアクセス情報を表示したものである。提供サーバーは、ホストクラブ来店勧誘用のウェブサイト（以下、勧誘サイトという。）を提供している。この実施形態では、アクセス情報表示部２は、ＱＲコードとなっている。即ち、アクセス情報表示部２は、勧誘サイトのトップページのＵＲＬをＱＲコード化したものとなっている。
【００１１】
このようなアクセス情報表示部２によってアクセスされる提供サーバーについて、図２を使用して説明する。図２は、実施形態のホストクラブ来店勧誘方法及び実施形態のホストクラブ来店勧誘装置の概略図である。したがって、以下の説明は、実施形態のホストクラブ来店勧誘方法及び実施形態のホストクラブ来店勧誘装置の説明でもある。
図２に示すように、実施形態のホストクラブ来店勧誘装置は、ホストクラブ仮想体験サービス提供プログラム３１が実装された提供サーバー３と、記憶部４と、勧誘キット１０とによって構成されている。
【００１２】
提供サーバー３は、インターネット８を介してアクセスされるウェブサーバーであり、Appacheのようなウェブサーバープログラムが実装されたサーバーコンピュータである。提供サーバー３は、レンタルサーバーのように、ホストクラブを運営する事業者（以下、クラブ事業者という。）とは別の事業者によって運営、管理されている場合が多い。記憶部４は、この実施形態では提供サーバー３が備えたストレージ（ハードディスク）となっている。この他、記憶部４は、別途設けられたストレージサーバー等であり得る。
【００１３】
記憶部４には、勧誘サイト用の各種ＨＴＭＬファイル４１，４２が記憶されている。その一つは、勧誘サイトのトップページ用のＨＴＭＬファイル（以下、トップ用ファイル）４１である。図３は、トップ用ファイルで提供されるウェブページの一例を示す図であり、このうち（１）はトップページがスマートフォンに表示された状態を示す。
【００１４】
図３に示すように、トップページには、このサイトがホストクラブ来店体験サービスを提供するサイトである旨や、体験サービスがＶＲ（仮想現実）によって提供される旨を説明したテキストが含まれている。
そして、トップページは、ＶＲアプリダウンロードと表記されたボタン（アプリＤＬボタン）５１が設けられている。このアプリＤＬボタン５１は、ＶＲ視聴用のアプリ（以下、ＶＲアプリという。）をダウンロードさせるためのボタンである。ＶＲ動画の視聴には、専用のＶＲアプリが必要になっており、アプリＤＬボタン５１はそのためのコマンドボタンである。
【００１５】
図２に示すように、提供サーバー３の記憶部４には、ホストクラブ仮想現実動画ファイル（以下、ＶＲ動画ファイルという。）６１が記憶されている。ＶＲ動画ファイル６１は、ＶＲアプリによってスマートフォン９上で再生された際、ＶＲゴーグル１を介して視認されることで仮想現実動画が視認されるファイルである。予め撮影された動画がＶＲアプリの仕様に合わせて編集され、ＶＲ動画ファイル６１が作成される。作成されたＶＲ動画ファイル６１は、提供サーバー３に予めアップロードされる。映像を撮影してこのようなＶＲ動画ファイルを作成するサービスを提供する業者も何社か存在しており、適宜選定して依頼することができる。
【００１６】
尚、ＶＲアプリは、提供サーバー３からダウンロードされる場合もあり得るが、通常は、他の専門のサイトからダウンロードされる。例えば、ＶＲ動画ファイル６１を作成する業者がＶＲアプリを提供している場合がある。その場合、App StoreやGooglePlayのようなアプリダウンロードサイトにアップロードされていて利用できることもあり得る。もしくは、そのような業者の自社サイトからダウンロードできる場合もあり、またＶＲゴーグル１を販売する業者のサイトからダウンロードできる場合もある。図２に示すアプリＤＬボタン５１は、このようなダウンロードサイトへのリンクボタンとなっている。
【００１７】
図３（１）に示すように、トップページには、アプリＤＬボタン５１に加え、「ＶＲ動画を視る」と表記されたボタン５２が設けられている。このボタン５２がタップされると、図３（２）に示す画面となり、この画面に視聴開始ボタン５３が設けられている。視聴開始ボタン５３は、提供サーバー３上のＶＲ動画ファイル６１を指定した状態でＶＲアプリをスマートフォン９上で起動させるコマンドボタンである。この実施形態では、提供サーバー３の記憶部４には複数の異なるＶＲ動画ファイル６１が記憶されており、これに対応して複数の視聴開始ボタン５３が設けられている。
【００１８】
この実施形態では、ユーザー（潜在顧客）は、自分の今の心理状態に応じて任意のホストクラブ仮想体験を行えるようになっている。図３（２）に示すページには、自分の今の心理状態に応じて任意の視聴開始ボタン５３をタップして欲しい旨の説明（不図示）が表示されるようになっている。
上記説明から解るように、この実施形態では、スマートフォン９上のＶＲアプリからの要求に応じてＶＲ動画ファイル６１を当該スマートフォン９に送信するウェブサーバープログラムがホストクラブ仮想体験サービス提供プログラムに相当している。
【００１９】
次に、このようなホストクラブ来店勧誘装置の動作を説明する。以下の説明は、ホストクラブ来店勧誘方法の説明でもある。
まず、クラブ事業者は、専門の業者に依頼する等して、自己の店舗における接客映像を撮影する。この際、カメラマンは、来店した顧客の視点で撮影がされるよう、顧客として振る舞いながら撮影を行う。そして、映像を編集してＶＲ画像ファイルを作成し、提供サーバー３の記憶部４に記憶する。この際、ユーザーの心理状態に応じて適宜の異なるシチュエーションの映像を複数撮影し、各々ＶＲ画像ファイルを作成する。例えば、落ち込んでいるので何人かのホストとともに陽気に盛り上がりたい気分の場合のシチュエーションの映像、一人のホストとじっくり話をしたい気分の場合のシチュエーションの映像、ホストと恋人のように話をしたい場合のシチュエーションの映像といった具合である。尚、ここでのシチュエーションとは、ホストクラブに入店してホストから接客のサービスを受け、店を出るまでの状況の意味である。
【００２０】
一方、クラブ事業者は、レンタルサーバー業者と契約する等して勧誘サイトを構築しておく。提供サーバー３には、勧誘サイトのトップページを含む各ページが実装される。そして、記憶部４には、上記のように作成された各ＶＲ動画ファイル６１がアップロードされる。
また、クラブ事業者は、ＶＲゴーグル１のメーカーに特注のＶＲゴーグル１の製作を依頼する。メーカーは、通常の紙製のＶＲゴーグル１を製作する際、予め印刷を施した紙資材でＶＲゴーグル１を製作し、図１に示す勧誘キット１０とする。
【００２１】
クラブ事業者は、潜在顧客に対して勧誘キット１０を無償で贈呈し、来店を勧誘する。例えば、来店した顧客に対して勧誘キット１０を贈呈し、友人に渡して仮想体験を誘うよう要請する。勧誘キット１０を渡されたその友人は、ＶＲゴーグル１に印刷されているＱＲコードをスマートフォン９で読み取って勧誘サイトにアクセスし、トップページを表示する。そして、必要に応じてＶＲアプリをダウンロードした上で、いずれかの視聴開始ボタン５３をタップし、そのスマートフォン９をＶＲゴーグル１にセットする。そして、ＶＲゴーグル１を顔に装着して覗き込むことで、ＶＲ動画を視聴する。これにより、ホストクラブの仮想体験がＶＲ動画の視聴という形で行われる。尚、音声については、スマートフォンのスピーカーからそのまま聴取される場合もあるし、別途イヤホンを使用して聴取される場合もある。また、図１に示すＶＲゴーグル１は、折り畳まれた状態で提供される場合がある。この場合、簡単な組み立て作業でＶＲグーグル１を使用可能な状態とすることができるが、組み立ての仕方を説明したチラシが勧誘キットに含まれていたり、又は組み立ての仕方がＶＲゴーグル１に印刷されていたりする場合もある。
【００２２】
実施形態の勧誘キット１０、勧誘方法及び勧誘装置によれば、ＶＲ動画の視聴という形でホストクラブの仮想体験がされるので、ホストクラブに行ったことのない者でもホストクラブがどのような場所・雰囲気でどのようなサービスが提供されるのかが理解できる。このため、実際にホストクラブに行くことの敷居が低くなり、ホストクラブにとっては新規の顧客増による売り上げアップが期待できる。
また、潜在顧客の心理状態に応じて異なるホストクラブ仮想現実動画ファイルが再生されるので、その時々の状況に応じて最適なホストクラブ仮想体験がされる。このため、来店の増加による売り上げアップがより期待できるものとなる。
【００２３】
尚、各ＶＲ動画ファイル６１の再生によって表示されるＶＲ動画には、当該ホストクラブの料金に関する情報が含まれていることが好ましい。シミュレーションの動画に料金の支払いの状況が含まれていたり、料金表自体がＶＲ動画に含まれていたりするケースが考えられる。この他、勧誘サイトに料金の情報を表示するページが含まれている場合もある。これらの料金に関する情報の提供により、料金的な観点でのユーザーの抵抗感も小さくできる。
【００２４】
ホストクラブというと、一般に、アルコールを主とする飲料を男性ホストが女性に提供する接客業というイメージがあるが、その一方、ホストとの会話により顧客をリラックスさせたり、ストレスを解消させたり、癒したりする側面もある。即ち、ホストクラブ事業者によってはメンタルケア事業的なアプローチでホストクラブを運営しているケースもある。上述した実施形態についても、このようなメンタルケア事業的なアプローチをサポートするものとして捉えることができる。即ち、メンタルケア的な側面があるという「安心感」を潜在顧客に与えることで、より来店を勧誘させることもできる。
また、実施形態の勧誘キットや実施形態の方法、装置は、最終的には潜在顧客を実際の店舗に来店させることが目的であるが、実際に来店をさせなくてもビジネスとして成立し得るようにするビジネスモデルもあり得る。即ち、最初の１回又は数回のＶＲ動画ファイル６１の視聴は無料であるが、それ以降の視聴は有料として提供する場合もあり得る。
【００２５】
尚、上記実施形態では、アクセス情報表示部２は、ＱＲコードを印刷したものであったが、バーコードのようなＱＲコード以外の二次元コードであっても良く、検索エンジンにおいて勧誘サイトをヒットさせるキーワードを印刷したものであっても良い。即ち、勧誘サイトには、お店の名前や、「ホストクラブ」、「体験」等の適宜のキーワードを検索エンジン用の検索キーとして設定されており、これらのキーワードの一つをアクセス情報表示部として印刷しても良い。また、ＵＲＬ自体を印刷してアクセス情報表示部としても良い。この意味で、「アクセス情報」における「ホストクラブ仮想体験サービス提供プログラムを実行可能にする情報」とは、ホストクラブ仮想体験サービス提供プログラムを実行する実行コマンドである場合の他、そのような実行コマンドを含むボタンが存在するウェブページに誘導するための情報も含む概念である。
【００２６】
また、アクセス情報表示部は、ＶＲゴーグル１とは別に提供されるものであっても良い。例えば、紙片にアクセス情報表示部を印刷してＶＲゴーグル１と一緒に提供したり、ＶＲゴーグル１の使い方を説明した説明書にアクセス情報表示部を印刷して提供したりしても良い。この場合、紙片や説明書は、ＶＲゴーグル１と一緒に透明な袋に入れて提供される場合もある。この場合、袋とその中身が勧誘キットということになる。
【００２７】
また、視聴開始ボタン５３は、ユーザーが自分の心理状態に応じて任意のものを選択するとして説明したが、仮想体験の回数に応じて選択されるものであっても良い。例えば、別の例として、ユーザーの心理状態に応じて選択される視聴開始ボタン５３のグループが設けられ、一つのグループにおいて視聴回数に応じて違った視聴開始ボタン５３が選択されるものとする。この場合、一つの視聴開始ボタン５３は、ＶＲ動画ファイル６１に一対一で対応しているから、視聴回数に応じて異なるＶＲ動画を視聴することになる。
【００２８】
即ち、一回目の来店の場合と二回目以降の来店の場合とでは、当然にシチュエーション（ホストとの会話の内容等）が異なるから、それに応じて異なるＶＲ動画となった方がより臨場感が増す。例えば、最初の来店と同じホストを示した状況がシミュレーションされ、前回の来店以降の顧客のプライベートな話題で会話をするといったシチュエーションのＶＲ動画とされる場合があり得る。尚、単に１回目の視聴の場合に選択される視聴開始ボタンと２回目以降の視聴開始ボタンとを別々に設け、それぞれに対応して異なるＶＲ動画ファイル６１をアップロードしておくだけでも良い。
【００２９】
一回目の来店の場合と二回目以降の来店の場合とで異なるＶＲ動画とする場合、プログラム上でＶＲ動画ファイル６１を選択する場合もあり得る。例えば、ＶＲ動画を視聴動画の視聴履歴を残すようにし、それに応じてプログラムがＶＲ動画５２を選択する場合があり得る。スマートフォンのクッキーに視聴履歴を記録しておいたり、勧誘サイトを会員制として提供サーバー上にユーザー（会員）情報ファイルを設けておき、そこに視聴履歴を記録したりすることが考えられる。
【符号の説明】
【００３０】
１０  勧誘キット
１  ＶＲゴーグル
２  アクセス情報表示部
３  提供サーバー
４  記憶部
５１  アプリＤＬボタン
５３  視聴開始ボタン
９  スマートフォン
【図１】
2018180947.tif 000003
【図２】
2018180947.tif 000004
【図３】
2018180947.tif 000005
【手続補正書】
【提出日】平成29年10月9日(2017.10.9)
【手続補正１】
【補正対象書類名】特許請求の範囲
【補正対象項目名】全文
【補正方法】変更
【補正の内容】
【特許請求の範囲】
【請求項１】
ホストクラブへの来店を勧誘させる方法であって、
潜在顧客に対してホストクラブ来店勧誘キットを提供するステップを含んでおり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であり、
前記ホストクラブ仮想体験サービス提供サーバーの記憶部には、潜在顧客の心理状態に応じて選択され潜在顧客の心理状態に応じて異なるメンタルケアを行う複数のホストクラブ仮想現実動画ファイルが記憶されており、
前記ホストクラブ仮想体験サービス提供サーバーは、潜在顧客の心理状態に応じて選択されるコマンドボタンを含むウェブページを提供するものであり、選択されたコマンドボタンに対応するホストクラブ仮想現実動画ファイルをメンタルケアとしてスマートフォンに送って再生させることを特徴とするホストクラブ来店勧誘方法。
【請求項２】
ホストクラブへの来店を勧誘させる方法であって、
潜在顧客に対してホストクラブ来店勧誘キットを提供するステップを含んでおり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であり、
前記ホストクラブ仮想体験サービス提供サーバーの記憶部には、ホストクラブの来店回数に相当する過去のホストクラブ仮想現実動画ファイルの再生回数に応じて選択される異なる複数の前記ホストクラブ仮想現実動画ファイルが記憶されており、
異なる複数の前記ホストクラブ仮想現実動画ファイルは、来店回数に応じてホストとの異なる会話内容を含むファイルであり、
前記ホストクラブ仮想体験サービス提供サーバーは、ホストクラブの来店回数に相当する過去のホストクラブ仮想現実動画ファイルの再生回数に応じて選択されたホストクラブ仮想現実動画ファイルをスマートフォンに送って再生させることを特徴とするホストクラブ来店勧誘方法。
【請求項３】
前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであることを特徴とする請求項１又は２記載のホストクラブ来店勧誘方法。
【請求項４】
ホストクラブへの来店を勧誘させる装置であって、
ホストクラブ仮想体験サービス提供プログラムが実装されたホストクラブ仮想体験サービス提供サーバーと、
ホストクラブを仮想体験させるホストクラブ仮想現実動画ファイルが記憶された記憶部と、
潜在顧客に対して提供されたホストクラブ来店勧誘キットとを備えており、
ホストクラブ仮想体験サービス提供プログラムは、ホストクラブ仮想現実動画ファイルをスマートフォンに送って視聴させるプログラムであり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
前記アクセス情報は、スマートフォンからの操作によりホストクラブ仮想体験サービス提供プログラムを実行可能にする情報であり、
前記ホストクラブ仮想体験サービス提供サーバーの記憶部には、潜在顧客の心理状態に応じて選択され潜在顧客の心理状態に応じて異なるメンタルケアを行う複数のホストクラブ仮想現実動画ファイルが記憶されており、
前記ホストクラブ仮想体験サービス提供サーバーは、潜在顧客の心理状態に応じて選択されるコマンドボタンを含むウェブページを提供するものであり、選択されたコマンドボタンに対応するホストクラブ仮想現実動画ファイルをメンタルケアとしてスマートフォンに送って再生させるものであることを特徴とするホストクラブ来店勧誘装置。
【請求項５】
ホストクラブへの来店を勧誘させる装置であって、
ホストクラブ仮想体験サービス提供プログラムが実装されたホストクラブ仮想体験サービス提供サーバーと、
ホストクラブを仮想体験させるホストクラブ仮想現実動画ファイルが記憶された記憶部と、
潜在顧客に対して提供されたホストクラブ来店勧誘キットとを備えており、
ホストクラブ仮想体験サービス提供プログラムは、ホストクラブ仮想現実動画ファイルをスマートフォンに送って視聴させるプログラムであり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
前記アクセス情報は、スマートフォンからの操作によりホストクラブ仮想体験サービス提供プログラムを実行可能にする情報であり、
前記ホストクラブ仮想体験サービス提供サーバーの記憶部には、ホストクラブの来店回数に相当する過去のホストクラブ仮想現実動画ファイルの再生回数に応じて選択される異なる複数の前記ホストクラブ仮想現実動画ファイルが記憶されており、
異なる複数の前記ホストクラブ仮想現実動画ファイルは、来店回数に応じてホストとの異なる会話内容を含むファイルであり、
前記ホストクラブ仮想体験サービス提供サーバーは、ホストクラブの来店回数に相当する過去のホストクラブ仮想現実動画ファイルの再生回数に応じて選択されたホストクラブ仮想現実動画ファイルをスマートフォンに送って再生させるものであることを特徴とするホストクラブ来店勧誘装置。
【請求項６】
前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであることを特徴とする請求項４又は５記載のホストクラブ来店勧誘装置。
【手続補正３】
【補正対象書類名】明細書
【補正対象項目名】０００５
【補正方法】変更
【補正の内容】
【０００５】
上記課題を解決するため、本願の請求項１記載の発明は、ホストクラブへの来店を勧誘させる方法であって、
潜在顧客に対してホストクラブ来店勧誘キットを提供するステップを含んでおり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であり、
前記ホストクラブ仮想体験サービス提供サーバーの記憶部には、潜在顧客の心理状態に応じて選択され潜在顧客の心理状態に応じて異なるメンタルケアを行う複数のホストクラブ仮想現実動画ファイルが記憶されており、
前記ホストクラブ仮想体験サービス提供サーバーは、潜在顧客の心理状態に応じて選択されるコマンドボタンを含むウェブページを提供するものであり、選択されたコマンドボタンに対応するホストクラブ仮想現実動画ファイルをメンタルケアとしてスマートフォンに送って再生させるという構成を有する。
また、上記課題を解決するため、請求項２記載の発明は、ホストクラブへの来店を勧誘させる方法であって、
潜在顧客に対してホストクラブ来店勧誘キットを提供するステップを含んでおり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であり、
前記ホストクラブ仮想体験サービス提供サーバーの記憶部には、ホストクラブの来店回数に相当する過去のホストクラブ仮想現実動画ファイルの再生回数に応じて選択される異なる複数の前記ホストクラブ仮想現実動画ファイルが記憶されており、
異なる複数の前記ホストクラブ仮想現実動画ファイルは、来店回数に応じてホストとの異なる会話内容を含むファイルであり、
前記ホストクラブ仮想体験サービス提供サーバーは、ホストクラブの来店回数に相当する過去のホストクラブ仮想現実動画ファイルの再生回数に応じて選択されたホストクラブ仮想現実動画ファイルをスマートフォンに送って再生させるという構成を有する。
また、上記課題を解決するため、請求項３記載の発明は、前記請求項１又は２の構成において、前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであるという構成を有する。
また、上記課題を解決するため、請求項４記載の発明は、ホストクラブへの来店を勧誘させる装置であって、
ホストクラブ仮想体験サービス提供プログラムが実装されたホストクラブ仮想体験サービス提供サーバーと、
ホストクラブを仮想体験させるホストクラブ仮想現実動画ファイルが記憶された記憶部と、
潜在顧客に対して提供されたホストクラブ来店勧誘キットとを備えており、
ホストクラブ仮想体験サービス提供プログラムは、ホストクラブ仮想現実動画ファイルをスマートフォンに送って視聴させるプログラムであり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
前記アクセス情報は、スマートフォンからの操作によりホストクラブ仮想体験サービス提供プログラムを実行可能にする情報であり、
前記ホストクラブ仮想体験サービス提供サーバーの記憶部には、潜在顧客の心理状態に応じて選択され潜在顧客の心理状態に応じて異なるメンタルケアを行う複数のホストクラブ仮想現実動画ファイルが記憶されており、
前記ホストクラブ仮想体験サービス提供サーバーは、潜在顧客の心理状態に応じて選択されるコマンドボタンを含むウェブページを提供するものであり、選択されたコマンドボタンに対応するホストクラブ仮想現実動画ファイルをメンタルケアとしてスマートフォンに送って再生させるものであるという構成を有する。
また、上記課題を解決するため、請求項５記載の発明は、ホストクラブへの来店を勧誘させる装置であって、
ホストクラブ仮想体験サービス提供プログラムが実装されたホストクラブ仮想体験サービス提供サーバーと、
ホストクラブを仮想体験させるホストクラブ仮想現実動画ファイルが記憶された記憶部と、
潜在顧客に対して提供されたホストクラブ来店勧誘キットとを備えており、
ホストクラブ仮想体験サービス提供プログラムは、ホストクラブ仮想現実動画ファイルをスマートフォンに送って視聴させるプログラムであり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
前記アクセス情報は、スマートフォンからの操作によりホストクラブ仮想体験サービス提供プログラムを実行可能にする情報であり、
前記ホストクラブ仮想体験サービス提供サーバーの記憶部には、ホストクラブの来店回数に相当する過去のホストクラブ仮想現実動画ファイルの再生回数に応じて選択される異なる複数の前記ホストクラブ仮想現実動画ファイルが記憶されており、
異なる複数の前記ホストクラブ仮想現実動画ファイルは、来店回数に応じてホストとの異なる会話内容を含むファイルであり、
前記ホストクラブ仮想体験サービス提供サーバーは、ホストクラブの来店回数に相当する過去のホストクラブ仮想現実動画ファイルの再生回数に応じて選択されたホストクラブ仮想現実動画ファイルをスマートフォンに送って再生させるものであるという構成を有する。
また、上記課題を解決するため、請求項６記載の発明は、前記請求項４又は５の構成において、前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであるという構成を有する。
【手続補正４】
【補正対象書類名】明細書
【補正対象項目名】０００６
【補正方法】変更
【補正の内容】
【０００６】
以下に説明する通り、本願の各請求項の発明によれば、ホストクラブ仮想現実動画の視聴という形でホストクラブの仮想体験がされるので、ホストクラブに行ったことのない者でもホストクラブがどのような場所・雰囲気でどのようなサービスが提供されるのかが理解できる。このため、実際にホストクラブに行くことの敷居が低くなり、ホストクラブにとっては新規の顧客増による売り上げアップが期待できる。
また、潜在顧客の心理状態又は過去の仮想体験回数に応じて異なるホストクラブ仮想現実動画ファイルが再生されるので、その時々の状況に応じて最適なホストクラブ仮想体験がされる。このため、来店の増加による売り上げアップがより期待できるものとなる。
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
ホストクラブへの来店を勧誘させる方法であって、
潜在顧客に対してホストクラブ来店勧誘キットを提供するステップを含んでおり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であり、
前記ホストクラブ仮想体験サービス提供サーバーの記憶部には、潜在顧客の心理状態に応じて選択され潜在顧客の心理状態に応じて異なるメンタルケアを行う複数の異なるホストクラブ仮想現実動画ファイルが記憶されており、
前記ホストクラブ仮想体験サービス提供サーバーは、異なる心理状態の表記が各々されているとともに潜在顧客の心理状態に応じて選択される複数のコマンドボタンが設けれられた一つのウェブページを提供するものであり、各コマンドボタンは各ホストクラブ仮想現実動画ファイルに対応しており、選択されたコマンドボタンに対応するホストクラブ仮想現実動画ファイルをメンタルケアとしてスマートフォンに送って再生させることを特徴とするホストクラブ来店勧誘方法。
【請求項２】
前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであることを特徴とする請求項１記載のホストクラブ来店勧誘方法。
【請求項３】
ホストクラブへの来店を勧誘させる装置であって、
ホストクラブ仮想体験サービス提供プログラムが実装されたホストクラブ仮想体験サービス提供サーバーと、
ホストクラブを仮想体験させるホストクラブ仮想現実動画ファイルが記憶された記憶部と、
潜在顧客に対して提供されたホストクラブ来店勧誘キットとを備えており、
ホストクラブ仮想体験サービス提供プログラムは、ホストクラブ仮想現実動画ファイルをスマートフォンに送って視聴させるプログラムであり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
前記アクセス情報は、スマートフォンからの操作によりホストクラブ仮想体験サービス提供プログラムを実行可能にする情報であり、
前記ホストクラブ仮想体験サービス提供サーバーの記憶部には、潜在顧客の心理状態に応じて選択され潜在顧客の心理状態に応じて異なるメンタルケアを行う複数の異なるホストクラブ仮想現実動画ファイルが記憶されており、
前記ホストクラブ仮想体験サービス提供サーバーは、異なる心理状態の表記が各々されているとともに潜在顧客の心理状態に応じて選択される複数のコマンドボタンが設けられた一つのウェブページを提供するものであり、各コマンドボタンは各ホストクラブ仮想現実動画ファイルに対応しており、選択されたコマンドボタンに対応するホストクラブ仮想現実動画ファイルをメンタルケアとしてスマートフォンに送って再生させるものであることを特徴とするホストクラブ来店勧誘装置。
【請求項４】
前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであることを特徴とする請求項３記載のホストクラブ来店勧誘装置。
【手続補正２】
【補正対象書類名】明細書
【補正対象項目名】０００５
【補正方法】変更
【補正の内容】
【０００５】
上記課題を解決するため、本願の請求項１記載の発明は、ホストクラブへの来店を勧誘させる方法であって、
潜在顧客に対してホストクラブ来店勧誘キットを提供するステップを含んでおり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
ホストクラブ仮想体験サービス提供サーバーにはホストクラブ仮想体験サービス提供プログラムが実装されており、ホストクラブ仮想体験サービス提供サーバーの記憶部にはホストクラブを仮想体験させるホストクラブ仮想現実動画ファイルが記憶されており、
ホストクラブ仮想体験サービス提供プログラムは、ホストクラブ仮想現実動画ファイルをスマートフォンに送って視聴させるプログラムであり、
前記アクセス情報は、スマートフォンからの操作によりホストクラブ仮想体験サービス提供プログラムを実行可能にする情報であり、
前記ホストクラブ仮想体験サービス提供サーバーの記憶部には、潜在顧客の心理状態に応じて選択され潜在顧客の心理状態に応じて異なるメンタルケアを行う複数の異なるホストクラブ仮想現実動画ファイルが記憶されており、
前記ホストクラブ仮想体験サービス提供サーバーは、異なる心理状態の表記が各々されているとともに潜在顧客の心理状態に応じて選択される複数のコマンドボタンが設けられた一つのウェブページを提供するものであり、各コマンドボタンは各ホストクラブ仮想現実動画ファイルに対応しており、選択されたコマンドボタンに対応するホストクラブ仮想現実動画ファイルをメンタルケアとしてスマートフォンに送って再生させるという構成を有する。
また、上記課題を解決するため、請求項２記載の発明は、前記請求項１の構成において、前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであるという構成を有する。
また、上記課題を解決するため、請求項３記載の発明は、ホストクラブへの来店を勧誘させる装置であって、
ホストクラブ仮想体験サービス提供プログラムが実装されたホストクラブ仮想体験サービス提供サーバーと、
ホストクラブを仮想体験させるホストクラブ仮想現実動画ファイルが記憶された記憶部と、
潜在顧客に対して提供されたホストクラブ来店勧誘キットとを備えており、
ホストクラブ仮想体験サービス提供プログラムは、ホストクラブ仮想現実動画ファイルをスマートフォンに送って視聴させるプログラムであり、
ホストクラブ来店勧誘キットは、スマートフォンを装着することにより仮想現実動画ファイルを再生して仮想現実動画を視聴し得る紙製の仮想現実ゴーグルと、ホストクラブ仮想体験サービス提供サーバーへのアクセス情報を表示したアクセス情報表示部とを備えており、
前記アクセス情報は、スマートフォンからの操作によりホストクラブ仮想体験サービス提供プログラムを実行可能にする情報であり、
前記ホストクラブ仮想体験サービス提供サーバーの記憶部には、潜在顧客の心理状態に応じて選択され潜在顧客の心理状態に応じて異なるメンタルケアを行う複数の異なるホストクラブ仮想現実動画ファイルが記憶されており、
前記ホストクラブ仮想体験サービス提供サーバーは、異なる心理状態の表記が各々されているとともに潜在顧客の心理状態に応じて選択される複数のコマンドボタンが設けられた一つのウェブページを提供するものであり、各コマンドボタンは各ホストクラブ仮想現実動画ファイルに対応しており、選択されたコマンドボタンに対応するホストクラブ仮想現実動画ファイルをメンタルケアとしてスマートフォンに送って再生させるものであるという構成を有する。
また、上記課題を解決するため、請求項４記載の発明は、前記請求項３の構成において、前記アクセス情報は、前記ホストクラブ仮想体験サービス提供サーバーのＵＲＬであるか、前記ホストクラブ仮想体験サービス提供プログラムの実行コードを含む二次元コードであるか、又は前記ホストクラブ仮想体験サービス提供サーバーにアクセスさせるキーワードであり、
前記アクセス情報表示部は、前記仮想現実ゴーグルに印刷されたものであるという構成を有する。
【手続補正３】
【補正対象書類名】明細書
【補正対象項目名】０００６
【補正方法】変更
【補正の内容】
【０００６】
以下に説明する通り、本願の各請求項の発明によれば、ホストクラブ仮想現実動画の視聴という形でホストクラブの仮想体験がされるので、ホストクラブに行ったことのない者でもホストクラブがどのような場所・雰囲気でどのようなサービスが提供されるのかが理解できる。このため、実際にホストクラブに行くことの敷居が低くなり、ホストクラブにとっては新規の顧客増による売り上げアップが期待できる。
また、潜在顧客の心理状態に応じて異なるホストクラブ仮想現実動画ファイルが再生されるので、その時々の状況に応じて最適なホストクラブ仮想体験がされる。このため、来店の増加による売り上げアップがより期待できるものとなる。